【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
被写体の画像を撮像し記録する撮像装置であって、
前記撮像装置の動作モードに応じた操作を行うための操作項目を表示する表示手段と、
前記操作項目を選択する選択手段と、
周辺機器を通信可能に接続する通信手段と、
前記周辺機器が接続されているか否かを判定する判定手段と、を有し、
前記表示手段は、前記判定手段により前記周辺機器が接続されていると判定された場合は、特定の操作項目を予め選択した状態で表示し、前記周辺機器が接続されていない場合は、前記特定の操作項目とは異なる項目を予め選択した状態で表示することを特徴とする撮像装置。
【請求項２】
前記特定の操作項目は、接続されている周辺機器に関連した操作項目であることを特徴とする請求項１に記載の撮像装置。
【請求項３】
前記操作項目は、前記撮像装置の機能ごとに分類された複数のシートから構成され、
前記表示手段は、接続されている周辺機器に関連したシートを予め選択した状態で表示することを特徴とする請求項２に記載の撮像装置。
【請求項４】
前記表示手段は、接続されている周辺機器の動作条件の設定が既に行われている場合、前記周辺機器の動作開始を指示するための操作項目を予め選択した状態で表示することを特徴とする請求項１乃至３のいずれか１項に記載の撮像装置。
【請求項５】
前記表示手段は、接続されている周辺機器の動作条件の設定が行われていない場合、前記周辺機器の動作条件を設定するための操作項目を予め選択した状態で表示することを特徴とする請求項１乃至３のいずれか１項に記載の撮像装置。
【請求項６】
前記表示手段は、他の操作項目を表示中に前記周辺機器が接続されたと判定された場合、前記特定の操作項目を予め選択した状態で表示することを特徴とする請求項１乃至５のいずれか１項に記載の撮像装置。
【請求項７】
前記表示手段は、操作項目を表示するメニュー画面に遷移するための操作に応じて、前記特定の操作項目を予め選択した状態で前記メニュー画面を表示することを特徴とする請求項１乃至６のいずれか１項に記載の撮像装置。
【請求項８】
前記周辺機器はプリンタであることを特徴とする請求項１乃至７のいずれか１項に記載の撮像装置。
【請求項９】
前記周辺機器はプリンタであり、前記プリンタが接続されている場合は印刷設定を決定するための操作項目を予め選択した状態で表示し、前記プリンタが接続されていない場合は、画像再生に関連した操作項目を予め選択した状態で表示することを特徴とする請求項１乃至７のいずれか１項に記載の撮像装置。
【請求項１０】
前記周辺機器はパーソナルコンピュータであることを特徴とする請求項１乃至７のいずれか１項に記載の撮像装置。
【請求項１１】
前記周辺機器は前記撮像装置に対して着脱可能な記録媒体であることを特徴とする請求項１乃至７のいずれか１項に記載の撮像装置。
【請求項１２】
前記周辺機器は、他の撮像装置であることを特徴とする請求項１乃至７のいずれか１項に記載の撮像装置。
【請求項１３】
前記周辺機器はプリンタであり、前記周辺機器の動作条件とは印刷設定であり、前記周辺機器の動作開始とは印刷開始であることを特徴とする請求項４又は５に記載の撮像装置。
【請求項１４】
被写体の画像を撮影する撮像手段と、
動作モードに応じた操作を行うための操作項目を表示する表示手段と、
前記操作項目を選択する選択手段と、
周辺機器を通信可能に接続する通信手段と、を有する撮像装置の制御方法であって、
前記周辺機器が接続されているか否かを判定する判定ステップと、
前記判定ステップで前記周辺機器が接続されていると判定された場合は、特定の操作項目を予め選択した状態で前記表示手段に表示し、前記判定ステップで前記周辺機器が接続されていないと判定された場合は、前記特定の操作項目とは異なる選択項目を予め選択した状態で前記表示手段に表示する表示ステップと、を有することを特徴とする制御方法。
【請求項１５】
請求項１４に記載の制御方法をコンピュータに実行させるためのプログラム。
【請求項１６】
請求項１５に記載のプログラムを記憶したことを特徴とするコンピュータ可読記憶媒体。
【手続補正２】
【補正対象書類名】明細書
【補正対象項目名】０００９
【補正方法】変更
【補正の内容】
【０００９】
上記課題を解決し、目的を達成するために、本発明の撮像装置は、被写体の画像を撮像し記録する撮像装置であって、前記撮像装置の動作モードに応じた操作を行うための操作項目を表示する表示手段と、前記操作項目を選択する選択手段と、周辺機器を通信可能に接続する通信手段と、前記周辺機器が接続されているか否かを判定する判定手段と、を有し、前記表示手段は、前記判定手段により前記周辺機器が接続されていると判定された場合は、特定の操作項目を予め選択した状態で表示し、前記周辺機器が接続されていない場合は、前記特定の操作項目とは異なる項目を予め選択した状態で表示する。
【手続補正３】
【補正対象書類名】明細書
【補正対象項目名】００１０
【補正方法】変更
【補正の内容】
【００１０】
また、本発明の撮像装置の制御方法は、被写体の画像を撮影する撮像手段と、動作モードに応じた操作を行うための操作項目を表示する表示手段と、前記操作項目を選択する選択手段と、周辺機器を通信可能に接続する通信手段と、を有する撮像装置の制御方法であって、前記周辺機器が接続されているか否かを判定する判定ステップと、前記判定ステップで前記周辺機器が接続されていると判定された場合は、特定の操作項目を予め選択した状態で前記表示手段に表示し、前記判定ステップで前記周辺機器が接続されていないと判定された場合は、前記特定の操作項目とは異なる選択項目を予め選択した状態で前記表示手段に表示する表示ステップと、を有する。
【手続補正４】
【補正対象書類名】明細書
【補正対象項目名】００２５
【補正方法】変更
【補正の内容】
【００２５】
また、画像表示部２８は、システム制御回路５０の指示により任意に表示をＯＮ／ＯＦＦすることが可能であり、表示をＯＦＦにした場合には撮像装置１００の電力消費を大幅に低減することができる。
【手続補正５】
【補正対象書類名】明細書
【補正対象項目名】００５６
【補正方法】変更
【補正の内容】
【００５６】
１０８は日時検知部で、本装置に内蔵している時計であるリアルタイムクロック（ＲＴＣ）を使用して時間を計時する。本時計は、本装置が電源ＯＦＦであっても、内蔵電池から電源を供給して動作する。日時検知部１０８では、リアルタイムクロックから取得した時間を計時し、１９８０年１月１日０時０分０秒から２０３０年１２月３１日２３時５９分５９秒を日時の有効範囲として制御する。
【手続補正６】
【補正対象書類名】明細書
【補正対象項目名】００８０
【補正方法】変更
【補正の内容】
【００８０】
以上のように、カメラ１００にプリンタ３００が接続されている場合は、ＭＥＮＵボタン２２５を押すと、プリントメニュータブが選択された状態のメニュー画面が自動的に表示される。これにより、メニュー画面表示後に、引き続いて簡単な操作だけで印刷に関連した操作を選択して実行することができる。
【手続補正７】
【補正対象書類名】明細書
【補正対象項目名】００８１
【補正方法】変更
【補正の内容】
【００８１】
尚、ＤＰＯＦ（Digital Print Order Format）規格は、記録媒体２００，２１０に記録されたデジタル画像の印刷を自動化するための統一規格であり、印刷する画像と、印刷枚数及び日付の有無等のプリント指示情報とを予め設定（予約）して記録媒体に記録するものである。プリント指示情報が記述されたファイル（以下、ＤＰＯＦファイルという。）は、画像ファイルとは別のテキストファイルとして記録されている。
【手続補正８】
【補正対象書類名】明細書
【補正対象項目名】００８２
【補正方法】変更
【補正の内容】
【００８２】
また、カメラ１００に装着された記録媒体２００，２１０にＤＰＯＦファイルが記録されていない場合、即ちプリント指示情報が記録されていない場合には印刷する画像が指定されていないので、このままでは印刷が開始できない。このため、この状態でＭＥＮＵボタン２２５を押してメニュー画面を表示すると、図４（ｂ−１）に示すようにプリントメニューの「Print…」項目がグレースケール等で表示されて選択操作を無効（不可）とする。
【手続補正９】
【補正対象書類名】明細書
【補正対象項目名】００８７
【補正方法】変更
【補正の内容】
【００８７】
また、プリンタ３００と接続されている状態で、１枚以上印刷枚数が指定されている場合には、イージーダイレクトボタン２２７が点灯し、当該ボタンを押すことで図４（ｃ）の印刷指示画面が表示され、すぐに印刷を開始することができる。
【手続補正１０】
【補正対象書類名】明細書
【補正対象項目名】００８８
【補正方法】変更
【補正の内容】
【００８８】
次に、図４（ｂ−１）において、十字ボタン２２６の上下ボタンを使用して「Select All Images…」を選択しＳＥＴボタン２２４を押すと、図４（ｅ）に示す全画像印刷画面が表示される。この画面で「OK」を選択してＳＥＴボタン２２４を押すと、記録媒体に記録されている全画像について、１枚ずつの印刷指定を一括して行うことができる。そして、全画像を１枚ずつ印刷するというプリント指示情報がＤＰＯＦファイルに記録される。この全画像印刷画面は全ての画像を印刷する時に使用するので、プリンタ接続時にこの画面を表示したときにはイージーダイレクトボタン２２７が点灯する。更に点灯しているイージーダイレクトボタン２２７を押すと全画像についての印刷指定が行われ、かつ、ＤＰＯＦファイルに記録されると共に、図４（ｃ）の印刷指示画面が表示される。ここで、「Print」項目を選択してＳＥＴボタン２２７を押すと、すぐに印刷を開始することができる。
【手続補正１１】
【補正対象書類名】明細書
【補正対象項目名】００９５
【補正方法】変更
【補正の内容】
【００９５】
次に、システム制御回路５０は、記録媒体２００，２１０にＤＰＯＦファイルが存在するかどうかを判定し（Ｓ４）、記録媒体２００，２１０にＤＰＯＦファイルが存在しない場合は、「Print…」項目を無効化する。
【手続補正１２】
【補正対象書類名】明細書
【補正対象項目名】００９７
【補正方法】変更
【補正の内容】
【００９７】
また、Ｓ４で記録媒体２００，２１０にＤＰＯＦファイルが存在する場合は、「Print…」項目を有効化する（Ｓ６）。続いて、図４（ｂ−２）に示すプリントメニュータブが選択され、「Print…」項目が有効化された状態のメニュー画面が表示される（Ｓ７）。
【手続補正１３】
【補正対象書類名】明細書
【補正対象項目名】００９９
【補正方法】変更
【補正の内容】
【００９９】
［その他の例］
上記実施形態において、カメラ１００にプリンタ３００が接続されている状態で、記録媒体にＤＰＯＦファイルが存在する場合は、図４（ｈ−１）に示すように、「Print…」項目が選択された状態のメニュー画面を表示してもよい。この場合、そのままＳＥＴボタン２２４を押すだけで、図４（ｃ）に示す印刷指示画面が表示されるので、すぐに印刷を開始することができる。
【手続補正１４】
【補正対象書類名】明細書
【補正対象項目名】０１００
【補正方法】変更
【補正の内容】
【０１００】
また、上記実施形態において、カメラ１００にプリンタ３００が接続されている状態で、記録媒体２００，２１０にＤＰＯＦファイルが存在しない場合は、図４（ｈ−２）に示すように、「Select Images & Qty…」項目が選択された状態のメニュー画面を表示してもよい。この場合、そのままＳＥＴボタン２２４を押すだけで、図４（ｄ）に示す印刷画像選択画面が表示されるので、すぐに印刷する画像を選択することができる。